(57)【特許請求の範囲】
【請求項１】
方式の異なるディジタル放送を受信して映像・音響信号を再生するためのディジタル放送受信装置であって、
ディジタル放送用の無線周波数信号を受信して、所定の符号化方式で符号化されたディジタル信号を再生する複数のディジタル信号再生手段と、
前記複数のディジタル信号再生手段が再生したディジタル信号に基づいて、ディジタル放送方式のうち受信可能なものを検出して当該ディジタル放送方式が受信可能である旨を表示する受信放送表示手段と、
前記複数のディジタル信号再生手段が再生したディジタル信号のうちの１つを選択する選択手段と、
前記選択手段が選択したディジタル信号をデコードして映像・音響信号を再生する映像・音響再生手段とを備え、
各前記ディジタル信号再生手段は、
再生したディジタル信号中のクロック信号の出力を制御するクロック信号出力制御手段と、
受信中のディジタル放送について受信同期が確立されているか否かを判別し、受信同期が確立していないと判別すると、前記クロック信号出力制御手段にクロック信号の出力を停止させる同期検出制御手段とを備え、
前記受信放送表示手段は、
前記クロック信号出力制御手段から出力されるクロック信号を検出することにより、受信可能なディジタル放送方式を検出する複数のディジタル放送方式検出手段を備える、
ことを特徴とするディジタル放送受信装置。
【請求項２】
各前記ディジタル放送方式検出手段は、
前記クロック信号出力制御手段から出力されるクロック信号を検出する検出手段と、
第１及び第２のタイミング信号を生成するタイミング信号生成手段と、
前記タイミング信号生成手段により生成された第１のタイミング信号により規定されるタイミングで前記検出手段の検出結果を取り込んで、これを保持する検出結果保持手段と、
前記タイミング信号生成手段により生成された第２のタイミング信号により規定されるタイミングで前記検出手段の検出結果を初期化する初期化手段とを備え、
前記受信放送表示手段は、
前記検出結果保持手段が保持する検出結果に基づいて、受信可能なディジタル放送方式を特定して表示する手段を備える、
ことを特徴とする請求項１に記載のディジタル放送受信装置。
【請求項３】
前記ディジタル信号再生手段は、
ＣＳ（Communication Satellite）ディジタル放送用の無線周波数信号を受信して所定の符号化形式で符号化されたディジタル信号を復調するＣＳ放送用再生手段と、
ＢＳ（Broadcasting Satellite）ディジタル放送用の無線周波数信号を受信して所定の符号化形式で符号化されたディジタル信号を復調するＢＳ放送用再生手段と、
地上波ディジタル放送用の無線周波数信号を受信して所定の符号化方式で符号化されたディジタル信号を復調する地上波ディジタル放送用再生手段とを備える、
ことを特徴とする請求項１又は２に記載のディジタル放送受信装置。
【請求項４】
前記ディジタル信号再生手段が再生するディジタル信号は、ＭＰＥＧ２（Moving Picture Experts Group phase 2）規格に準拠したトランスポートストリーム信号である、
ことを特徴とする請求項１、２又は３に記載のディジタル放送受信装置。
【請求項５】
ディジタル放送用の無線周波数信号を受信して所定の符号化方式で符号化された複数のディジタル信号を再生するディジタル信号再生ステップと、
前記ディジタル信号再生ステップにて複数のディジタル信号を再生する際、ディジタル信号毎に受信同期が確立しているか否かを判別する同期判別ステップと、
前記ディジタル信号再生ステップにて再生された複数のディジタル信号中のクロック信号をディジタル信号毎に出力を制御し、前記同期判別ステップにて受信同期が確立していないと判別されたディジタル信号のクロック信号について、その出力を停止するクロック出力制御ステップと、
前記クロック出力制御ステップからクロック信号が出力されていることを検出するクロック出力検出ステップと、
前記クロック出力検出ステップにて検出されたクロック信号に基づいて、受信可能なディジタル放送方式を特定して表示する受信可能ディジタル放送方式表示ステップと、
受信するディジタル放送方式の選択を指示するディジタル放送方式選択指示ステップと、
前記ディジタル信号再生ステップにて再生されたディジタル信号のうち、前記ディジタル放送方式選択指示ステップにて選択が指示されたディジタル放送方式に該当するものを選択してデコードし、映像・音響信号を再生する映像・音響信号再生ステップとを備える、
ことを特徴とするディジタル放送受信方法。
【請求項６】
前記クロック出力検出ステップは、
前記クロック出力制御ステップによって出力されたクロック信号を検出する信号検出ステップと、
第１及び第２のタイミング信号を生成するタイミング信号生成ステップと、
前記タイミング信号生成ステップにて生成した第１のタイミング信号により規定されるタイミングで前記信号検出ステップにおける検出結果を取り込んで、これを保持する検出結果保持ステップと、
前記タイミング信号生成ステップにて生成した第２のタイミング信号により規定されるタイミングで前記信号検出ステップにおける検出結果を初期化する初期化ステップとを含み、
前記ディジタル放送方式表示ステップは、
前記検出結果保持ステップにて保持した検出結果に基づいて、受信可能なディジタル放送方式を特定して表示する放送方式特定表示ステップを含む、
ことを特徴とする請求項５に記載のディジタル放送受信方法。
【請求項７】
前記ディジタル信号再生ステップにて再生されるディジタル信号は、ＭＰＥＧ２（Moving Picture Experts Group phase 2）規格に準拠したトランスポートストリーム信号である、
ことを特徴とする請求項５又は６に記載のディジタル放送受信方法。
【発明の詳細な説明】
【０００１】
【発明の属する技術分野】
この発明は、ディジタル放送を受信するためのディジタル放送受信装置に係り、特に、簡単な構成により方式の異なるディジタル放送を受信し、受信可能な放送方式を容易に確認することができるディジタル放送受信装置に関する。
【０００２】
【従来の技術】
放送電波帯域を有効に利用して高品質・多チャンネルのテレビジョン放送を実現するため、テレビジョン放送のディジタル化が進んでいる。
【０００３】
このようなディジタル放送を受信するための従来のディジタル放送受信装置は、ＲＦ（Ｒａｄｉｏ  Ｆｒｅｑｕｅｎｃｙ）信号を受信してＭＰＥＧ２−ＴＳ（Ｍｏｖｉｎｇ  Ｐｉｃｔｕｒｅ  Ｅｘｐｅｒｔｓ  Ｇｒｏｕｐ  Ｐｈａｓｅ  ２  −  Ｔｒａｎｓｐｏｒｔ  Ｓｔｒｅａｍ）のディジタル信号を再生するディジタル放送用モジュールと、ＭＰＥＧ２−ＴＳのディジタル信号から映像・音響信号を再生するバックエンドとから構成される。
【０００４】
図７（ａ）〜（ｃ）は、従来のディジタル放送受信装置１００，１０１，１０２の構成を例示する図である。
ここで、図７（ａ）に示すディジタル放送受信装置１００は、ＣＳ（Ｃｏｍｍｕｎｉｃａｔｉｏｎ  Ｓａｔｅｌｌｉｔｅ）ディジタル放送に対応している。また、図７（ｂ）に示すディジタル放送受信装置１０１は、ＢＳ（Ｂｒｏａｄｃａｓｔｉｎｇ  Ｓａｔｅｌｌｉｔｅ）ディジタル放送に対応している。さらに、図７（ｃ）に示すディジタル放送受信装置１０２は、地上波ディジタル放送に対応している。
【０００５】
図７（ａ）〜（ｃ）に示した例では、ディジタル放送受信装置１００は、ＣＳディジタル放送用モジュール１１０を備え、ディジタル放送受信装置１０１は、ＢＳディジタル放送用モジュール１１１を備え、ディジタル放送受信装置１０２は、地上波ディジタル放送用モジュール１１２を備えている。
そして、ＣＳディジタル放送用モジュール１１０、ＢＳディジタル放送用モジュール１１１及び地上波ディジタル放送用モジュール１１２は、それぞれ別個にバックエンド１２０，１２１，１２２に接続されている。
【０００６】
【発明が解決しようとする課題】
上記従来のディジタル放送受信装置では、１台の受信装置は特定の方式のディジタル放送（ＣＳディジタル放送、ＢＳディジタル放送、地上波ディジタル放送等）のみを受信することができる。
このため、方式の異なるディジタル放送を受信するためには、新たにその方式専用の受信装置を購入してテレビ受像機に接続しなければならなかった。
【０００７】
この点、ディジタル放送用モジュールのＩＣ（Ｉｎｔｅｇｒａｔｅｄ  Ｃｉｒｃｕｉｔ）チップの共用化や、複数のディジタル放送受信装置をケーブル接続することにより、異なる方式のディジタル放送を受信することも考えられるが、製造工程が複雑になったり、ケーブル接続が煩雑になるといった問題がある。
【０００８】
また、多数の方式の異なるディジタル放送を受信できるようになると、ユーザがどのディジタル放送を受信可能であるかを判別することは容易でない。
このような場合、ユーザが、リモコン等を用いて放送方式を選択し、テレビ受像機から出力される映像・音響信号により、その放送方式が受信可能か否かを確認するのは煩瑣である。
【０００９】
この発明は、上記実状に鑑みてなされたものであり、簡単な構成により方式の異なるディジタル放送を受信することができるディジタル放送受信装置を提供することを目的とする。
【００１０】
また、この発明は、受信可能な放送方式を容易に確認することができるディジタル放送受信装置を提供することを他の目的とする。
【００１１】
上記目的を達成するべく、この発明の第１の観点に係るディジタル放送受信装置は、
方式の異なるディジタル放送を受信して映像・音響信号を再生するためのものであって、
ディジタル放送用の無線周波数信号を受信して、所定の符号化方式で符号化されたディジタル信号を再生する複数のディジタル信号再生手段と、
前記複数のディジタル信号再生手段が再生したディジタル信号に基づいて、ディジタル放送方式のうち受信可能なものを検出して当該ディジタル放送方式が受信可能である旨を表示する受信放送表示手段と、
前記複数のディジタル信号再生手段が再生したディジタル信号のうちの１つを選択する選択手段と、
前記選択手段が選択したディジタル信号をデコードして映像・音響信号を再生する映像・音響再生手段とを備え、
各前記ディジタル信号再生手段は、
再生したディジタル信号中のクロック信号の出力を制御するクロック信号出力制御手段と、
受信中のディジタル放送について受信同期が確立されているか否かを判別し、受信同期が確立していないと判別すると、前記クロック信号出力制御手段にクロック信号の出力を停止させる同期検出制御手段とを備え、
前記受信放送表示手段は、
前記クロック信号出力制御手段から出力されるクロック信号を検出することにより、受信可能なディジタル放送方式を検出する複数のディジタル放送方式検出手段を備える、
ことを特徴とする。
【００１２】
この発明によれば、選択手段は、複数のディジタル信号再生手段が再生したディジタル信号のうち１つを選択し、映像・音響再生手段は、選択手段が選択したディジタル信号をデコードして映像・音響信号を再生する。
これにより、簡単な構成で方式の異なるディジタル放送を受信することができる。
また、この発明によれば、受信放送表示手段は、複数のディジタル信号再生手段が再生したディジタル信号に基づいて、ディジタル放送方式のうち受信可能なものを検出して当該ディジタル放送方式が受信可能である旨を表示することができる。
これにより、映像・音響信号を再生させることなく受信可能なディジタル放送方式を容易に確認することができる。
【００１４】
より詳細には、各前記ディジタル放送方式検出手段は、
前記クロック信号出力制御手段から出力されるクロック信号を検出する検出手段と、
第１及び第２のタイミング信号を生成するタイミング信号生成手段と、
前記タイミング信号生成手段により生成された第１のタイミング信号により規定されるタイミングで前記検出手段の検出結果を取り込んで、これを保持する検出結果保持手段と、
前記タイミング信号生成手段により生成された第２のタイミング信号により規定されるタイミングで前記検出手段の検出結果を初期化する初期化手段とを備え、
前記受信放送表示手段は、
前記検出結果保持手段が保持する検出結果に基づいて、受信可能なディジタル放送方式を特定して表示する手段を備えることが望ましい。
【００１５】
例えば、前記ディジタル信号再生手段は、
ＣＳ（Ｃｏｍｍｕｎｉｃａｔｉｏｎ  Ｓａｔｅｌｌｉｔｅ）ディジタル放送用の無線周波数信号を受信して所定の符号化形式で符号化されたディジタル信号を復調するＣＳ放送用再生手段と、
ＢＳ（Ｂｒｏａｄｃａｓｔｉｎｇ  Ｓａｔｅｌｌｉｔｅ）ディジタル放送用の無線周波数信号を受信して所定の符号化形式で符号化されたディジタル信号を復調するＢＳ放送用再生手段と、
地上波ディジタル放送用の無線周波数信号を受信して所定の符号化方式で符号化されたディジタル信号を復調する地上波ディジタル放送用再生手段とを備えていてもよい。
【００１６】
また、例えば、前記ディジタル信号再生手段が再生するディジタル信号は、ＭＰＥＧ２（Ｍｏｖｉｎｇ  Ｐｉｃｔｕｒｅ  Ｅｘｐｅｒｔｓ  Ｇｒｏｕｐ  ｐｈａｓｅ  ２）規格に準拠したトランスポートストリーム信号であることが望ましい。
【００１７】
また、この発明の第２の観点に係るディジタル放送受信方法は、
ディジタル放送用の無線周波数信号を受信して所定の符号化方式で符号化された複数のディジタル信号を再生するディジタル信号再生ステップと、
前記ディジタル信号再生ステップにて複数のディジタル信号を再生する際、ディジタル信号毎に受信同期が確立しているか否かを判別する同期判別ステップと、
前記ディジタル信号再生ステップにて再生された複数のディジタル信号中のクロック信号をディジタル信号毎に出力を制御し、前記同期判別ステップにて受信同期が確立していないと判別されたディジタル信号のクロック信号について、その出力を停止するクロック出力制御ステップと、
前記クロック出力制御ステップからクロック信号が出力されていることを検出するクロック出力検出ステップと、
前記クロック出力検出ステップにて検出されたクロック信号に基づいて、受信可能なディジタル放送方式を特定して表示する受信可能ディジタル放送表示ステップと、
受信するディジタル放送方式の選択を指示するディジタル放送方式選択指示ステップと、
前記ディジタル信号再生ステップにて再生されたディジタル信号のうち、前記ディジタル放送方式選択指示ステップにて選択が指示されたディジタル放送方式に該当するものを選択してデコードし、映像・音響信号を再生する映像・音響信号再生ステップとを備える、
ことを特徴とする。
【００１８】
この発明によれば、ディジタル信号再生ステップにて再生された複数のディジタル信号は、ディジタル放送方式選択指示ステップにて選択が指示されたディジタル放送方式に該当するもののみが映像・音響信号再生ステップにてデコードされ、映像・音響信号が再生される。このディジタル信号は、所定の符号化方式で符号化されているので、デコードするための回路を単一化することができ、簡単な構成で異なる方式のディジタル放送を受信することができる。
【００１９】
前記クロック出力検出ステップは、
前記クロック出力制御ステップによって出力されたクロック信号を検出する信号検出ステップと、
第１及び第２のタイミング信号を生成するタイミング信号生成ステップと、
前記タイミング信号生成ステップにて生成した第１のタイミング信号により規定されるタイミングで前記信号検出ステップにおける検出結果を取り込んで、これを保持する検出結果保持ステップと、
前記タイミング信号生成ステップにて生成した第２のタイミング信号により規定されるタイミングで前記信号検出ステップにおける検出結果を初期化する初期化ステップとを含み、
前記ディジタル放送方式表示ステップは、
前記検出結果保持ステップにて保持した検出結果に基づいて、受信可能なディジタル放送方式を特定して表示する放送方式特定表示ステップを含むことが望ましい。
例えば、前記ディジタル信号再生ステップにて再生されるディジタル信号は、ＭＰＥＧ２（Moving Picture Experts Group phase 2）規格に準拠したトランスポートストリーム信号であることが望ましい。
【００２０】
【発明の実施の形態】
以下に、この発明の実施の形態に係るディジタル放送受信装置の一例として、ＣＳ（Ｃｏｍｍｕｎｉｃａｔｉｏｎ  Ｓａｔｅｌｌｉｔｅ）ディジタル放送と、ＢＳ（Ｂｒｏａｄｃａｓｔｉｎｇ  Ｓａｔｅｌｌｉｔｅ）ディジタル放送と、地上波ディジタル放送とを受信可能なディジタル放送受信装置１について、図面を参照して、詳細に説明する。
【００２１】
図１は、この発明の実施の形態に係るディジタル放送受信装置１の構成を示す図である。
図示するように、このディジタル放送受信装置１は、ＣＳディジタル放送用モジュール１０と、ＢＳディジタル放送用モジュール１１と、地上波ディジタル放送用モジュール１２と、指示入力部１３と、セレクタ制御部１４と、セレクタ１５と、複数のクロック検波回路１６と、受信放送表示部１７と、トランスポートストリーム処理部１８とを備えている。
【００２２】
ＣＳディジタル放送用モジュール１０は、ＱＰＳＫ（Ｑｕａｄｒａｔｕｒｅ  Ｐｈａｓｅ  Ｓｈｉｆｔ  Ｋｅｙｉｎｇ）復調器、デインタリーバ等から構成され、ＣＳアンテナが受信した１２．２〜１２．７５ＧＨｚ帯の電波をＬＮＢ（Ｌｏｗ  Ｎｏｉｓｅ  Ｂｌｏｃｋ  ｄｏｗｎｃｏｎｖｅｒｔｅｒ）等で周波数変換して得られたＲＦ（Ｒａｄｉｏ  Ｆｒｅｑｕｅｎｃｙ）信号を受けて、ＭＰＥＧ２−ＴＳ（Ｍｏｖｉｎｇ  Ｐｉｃｔｕｒｅ  Ｅｘｐｅｒｔｓ  Ｇｒｏｕｐ  ｐｈａｓｅ  ２  −  Ｔｒａｎｓｐｏｒｔ  Ｓｔｒｅａｍ）のディジタル信号を再生するためのものである。
また、ＣＳディジタル放送用モジュール１０は、同期検出回路２０と、クロック出力制御回路２１とを備えている。
【００２３】
同期検出回路２０は、ＣＳディジタル放送用モジュール１０において、ディジタル放送の受信同期が取れているか否かを判別するための回路であり、受信同期が取れていると判別すると、クロック出力制御回路２１にクロック信号を出力させてクロック検波回路１６に入力させる。
【００２４】
クロック出力制御回路２１は、同期検出回路２０の制御に従って、ＭＰＥＧ２−ＴＳのディジタル信号中のクロック信号を出力するためのものである。クロック出力制御回路２１が出力したクロック信号は、クロック検波回路１６に送られる。
【００２５】
ＢＳディジタル放送用モジュール１１は、トレリス符号化８ＰＳＫ（Ｐｈａｓｅ  Ｓｈｉｆｔ  Ｋｅｙｉｎｇ）復調器、デインタリーバ等から構成され、ＢＳアンテナが受信した１１．７〜１２．２ＧＨｚ帯の電波をＬＮＢ等で周波数変換して得られたＲＦ信号を受けて、ＭＰＥＧ２−ＴＳのディジタル信号を再生するためのものである。また、ＢＳディジタル放送用モジュール１１は、同期検出回路２２と、クロック出力制御回路２３とを備えている。
【００２６】
同期検出回路２２は、ＢＳディジタル放送用モジュール１１において、ディジタル放送の受信同期が取れているか否かを判別するための回路であり、受信同期が取れていると判別すると、クロック出力制御回路２３にクロック信号を出力させてクロック検波回路１６に入力させる。
【００２７】
クロック出力制御回路２３は、同期検出回路２２の制御に従って、ＭＰＥＧ２−ＴＳのディジタル信号中のクロック信号を出力するためのものである。クロック出力制御回路２３が出力したクロック信号は、クロック検波回路１６に送られる。
【００２８】
地上波ディジタル放送用モジュール１２は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）復調器、離散フーリエ変換器等から構成され、ＵＨＦ（Ｕｌｔｒａ  Ｈｉｇｈ  Ｆｒｅｑｕｅｎｃｙ）帯等の地上波ディジタル放送用の電波を受信するアンテナからＲＦ信号を受けて、ＭＰＥＧ２−ＴＳのディジタル信号を再生するためのものである。
また、地上波ディジタル放送用モジュール１２は、同期検出回路２４と、クロック出力制御回路２５とを備えている。
【００２９】
同期検出回路２４は、地上波ディジタル放送用モジュール１２において、ディジタル放送の受信同期が取れているか否かを判別するための回路であり、受信同期が取れていると判別すると、クロック出力制御回路２５にクロック信号を出力させてクロック検波回路１６に入力させる。
【００３０】
クロック出力制御回路２５は、同期検出回路２４の制御に従って、ＭＰＥＧ２−ＴＳのディジタル信号中のクロック信号を出力するためのものである。クロック出力制御回路２５が出力したクロック信号は、クロック検波回路１６に送られる。
【００３１】
指示入力部１３は、キーパッド、リモートコントローラ等から構成され、ユーザがこのディジタル放送受信装置１に、受信する放送の種類（ＣＳ、ＢＳ、地上波等）を指定して入力するためのものである。指示入力部１３は、ユーザの選択に応じた信号（例えば、ＣＳ選択信号、ＢＳ選択信号及び地上波選択信号等）をセレクタ制御部１４に送る。
【００３２】
セレクタ制御部１４は、指示入力部１３により指定された放送の種類に応じてセレクタ１５を切り換えるためのものであり、例えば図２に示すような構成を有している。
図示するように、セレクタ制御部１４は、ＡＮＤゲート３０，３１，３２とＯＲゲート４０，４１，４２とを備えている。
【００３３】
ＡＮＤゲート３０の入力端は、ＯＲゲート４０の出力端に接続され、指示入力部１３から受けたＣＳ選択信号の否定（ＮＯＴ）と、地上波選択信号の否定（ＮＯＴ）とが入力される。そして、ＡＮＤゲート３０の出力端は、ＯＲゲート４０の入力端に接続されている。また、ＯＲゲート４０には、指示入力部１３から受けたＢＳ選択信号が入力される。これにより、ＯＲゲート４０は、指示入力部１３よりパルス状のＢＳ選択信号が入力されると、高レベルの電圧”Ｈ”を出力し、ＣＳ選択信号又は地上波選択信号が入力されるまでこれを保持する。
【００３４】
ＡＮＤゲート３１の入力端は、ＯＲゲート４１の出力端に接続され、指示入力部１３から受けたＢＳ選択信号の否定（ＮＯＴ）と、地上波選択信号の否定（ＮＯＴ）とが入力される。そして、ＡＮＤゲート３１の出力端は、ＯＲゲート４１の入力端に接続されている。また、ＯＲゲート４１には、指示入力部１３から受けたＣＳ選択信号が入力される。これにより、ＯＲゲート４１は、指示入力部１３よりパルス状のＣＳ選択信号が入力されると、高レベルの電圧”Ｈ”を出力し、ＢＳ選択信号又は地上波選択信号が入力されるまでこれを保持する。
【００３５】
ＡＮＤゲート３２の入力端は、ＯＲゲート４２の出力端に接続され、指示入力部１３から受けたＣＳ選択信号の否定（ＮＯＴ）と、ＢＳ選択信号の否定（ＮＯＴ）とが入力される。そして、ＡＮＤゲート３２の出力端は、ＯＲゲート４２の入力端に接続されている。また、ＯＲゲート４２には、指示入力部１３から受けた地上波選択信号が入力される。これにより、ＯＲゲート４２は、指示入力部１３よりパルス状の地上波選択信号が入力されると、高レベルの電圧”Ｈ”を出力し、ＢＳ選択信号又はＣＳ選択信号が入力されるまでこれを保持する。
【００３６】
図１のセレクタ１５は、セレクタ制御部１４の制御に従って、ＣＳディジタル放送用モジュール１０、ＢＳディジタル放送用モジュール１１及び地上波ディジタル放送用モジュール１２から送られるＭＰＥＧ２−ＴＳのディジタル信号のうちから、トランスポートストリーム処理部１８に入力するものを選択して出力するための選択回路である。
【００３７】
複数のクロック検波回路１６は、クロック出力制御回路２１，２３，２５が出力したＭＰＥＧ２−ＴＳのクロック信号を放送方式毎に検出し、各放送方式が受信可能であるか否かを受信放送表示部１７に通知するためのものである。
【００３８】
図３は、複数のクロック検波回路１６のうちの１つについて、その構成を例示する図である。
図示するように、クロック検波回路１６は、タイミング信号生成回路５０と、ＡＮＤゲート５１と、ＯＲゲート５２と、Ｄフリップフロップ５３とを備えている。
【００３９】
タイミング信号生成回路５０は、Ｎ進カウンタ（Ｎは、所定の整数値を示す）、エンコーダ等から構成され、所定のタイミングで信号線Ｌ１，Ｌ２に高レベルの電圧”Ｈ”を出力する回路である。
より具体的には、タイミング信号生成回路５０は、ディジタル放送受信装置１が備えるシステムクロック生成器（図示せず）等から受けるシステムクロック信号をＮ進カウンタがカウントする等して、カウント”Ｎ”となるタイミングで信号線Ｌ１に高レベルの電圧”Ｈ”を出力する。また、タイミング信号生成回路５０は、Ｎ進カウンタにより、カウント”０”となるタイミングで信号線Ｌ２に高レベルの電圧”Ｈ”を出力する。
【００４０】
ＡＮＤゲート５１の入力端は、信号線Ｌ２の否定（ＮＯＴ）とＯＲゲート５２の出力端に接続され、ＡＮＤゲート５１の出力端は、ＯＲゲート５２の入力端に接続されている。また、ＯＲゲート５２には、クロック出力制御回路２１，２３，２５から受けたＭＰＥＧ２−ＴＳのクロック信号が入力され、出力端が、Ｄフリップフロップ５３のデータ入力Ｄに接続されている。
これにより、ＯＲゲート５２は、クロック出力制御回路２１，２３，２５からクロック信号を受けると、クロック信号を検出したことを示す高レベルの電圧”Ｈ”を出力して、カウント”０”となるタイミングでリセットされ、低レベルの電圧”Ｌ”を出力する。
【００４１】
そして、信号線Ｌ１はＤフリップフロップ５３のクロック入力ＣＬＫに接続されており、Ｄフリップフロップ５３は、カウント”Ｎ”となるタイミングにおけるデータ入力Ｄの値、すなわち、ＯＲゲート５２の出力を保持して非反転出力Ｑより出力する。
Ｄフリップフロップ５３の非反転出力Ｑは、受信放送表示部１７に接続されており、受信可能なディジタル放送の種類（ＣＳ、ＢＳ、地上波の別）を受信放送表示部１７に通知することができる。
【００４２】
受信放送表示部１７は、ＬＣＤ（Ｌｉｑｕｉｄ  Ｃｒｙｓｔａｌ  Ｄｉｓｐｌａｙ）等から構成され、クロック検波回路１６がクロック信号を検出した結果に応じて、受信中のディジタル放送方式及びそのディジタル放送方式が受信可能か否かを表示してユーザに通知するためのものである。
【００４３】
トランスポートストリーム処理部１８は、セレクタ１５により選択されたＭＰＥＧ２−ＴＳのディジタル信号をデコードして、映像・音響信号を再生するためのものである。
【００４４】
次に、上記構成を有するディジタル放送受信装置１の動作を説明する。
このディジタル放送受信装置１は、方式の異なるディジタル放送を受信して得られた信号から所定の符号化方式で符号化されたディジタル信号を再生し、このディジタル信号から映像・音響信号を再生する前に、受信可能なディジタル放送の判別を自動的に行ってユーザに通知することができる装置である。
【００４５】
ディジタル放送受信装置１は、電源が投入されると、ＣＳアンテナ、ＢＳアンテナ及び地上波用アンテナ（いずれも図示せず）が受信したディジタル放送用の電波から得られたＲＦ信号の取り込みを開始する。
すなわち、ＣＳディジタル放送用モジュール１０と、ＢＳディジタル放送用モジュール１１と、地上波ディジタル放送用モジュール１２は、それぞれ入力されたＲＦ信号からＭＰＥＧ２−ＴＳ信号の再生を試みる。
【００４６】
この際、同期検出回路２０，２２，２４は、図４のフローチャートに示す同期検出処理を実行する。
【００４７】
同期検出処理を開始すると、同期検出回路２０，２２，２４は、ＲＦ信号から復調したディジタル信号中の同期パターンを検出するなどの、受信同期を検出するための処理を実行し（ステップＳ１）、受信同期しているか否かを判別する（ステップＳ２）。
【００４８】
同期検出回路２０，２２，２４は、受信同期していると判別すると（ステップＳ２にてＹＥＳ）、それぞれクロック出力制御回路２１，２３，２５を制御して、ＭＰＥＧ２−ＴＳのディジタル信号におけるクロック信号を出力させる。クロック出力制御回路２１，２３，２５は、それぞれ同期検出回路２０，２２，２４の制御に従って、ＭＰＥＧ２−ＴＳのディジタル信号におけるクロック信号をクロック検波回路１６に出力する（ステップＳ３）。
この後、同期検出回路２０，２２，２４は、処理をステップＳ１にリターンして、受信同期を検出するための処理を継続する。
【００４９】
一方、同期検出回路２０，２２，２４は、上記ステップＳ２にて、受信同期していないと判別すると（ステップＳ２にてＮＯ）、それぞれクロック出力制御回路２１，２３，２５に対して、クロック信号の出力を停止するように動作を制御する（ステップＳ４）。
この後、同期検出回路２０，２２，２４は、処理をステップＳ１にリターンして、受信同期を検出するための処理を継続する。
【００５０】
以上のようにして、ＣＳディジタル放送用モジュール１０と、ＢＳディジタル放送用モジュール１１と、地上波ディジタル放送用モジュール１２はＲＦ信号からＭＰＥＧ２−ＴＳのディジタル信号を再生する際に、それぞれ同期検出回路２０，２２，２４が受信同期しているか否かを判別する。そして、同期検出回路２０，２２，２４は、それぞれクロック出力制御回路２１，２３，２５を制御して、判別結果に応じてディジタル信号中のクロック信号出力を切り換える。
これにより、受信同期の判別結果をトランスポートストリーム処理部１８等に通知するための信号線が不要となり、簡単な構成でディジタル放送を受信することができる。
【００５１】
また、ディジタル放送受信装置１は、ディジタル放送の受信を開始する際、受信可能な放送方式を受信放送表示部１７に表示させるため、図５のフローチャートに示す受信ディジタル放送方式表示処理を実行する。
【００５２】
受信ディジタル放送方式表示処理を開始すると、セレクタ制御部１４は、セレクタ１５を初期化して、ＣＳディジタル放送用モジュール１０、ＢＳディジタル放送用モジュール１１及び地上波ディジタル放送用モジュール１２から受けたディジタル信号のいずれも出力しないようにする（ステップＳ１０）。
【００５３】
次に、複数のクロック検波回路１６は、各クロック検波回路１６ごとに、クロック出力制御回路２１，２３，２５から受けるＭＰＥＧ２−ＴＳのディジタル信号中のクロック信号を検出して、検出結果を受信放送表示部１７に通知する（ステップＳ１１）。
【００５４】
この際、各クロック検波回路１６において、タイミング信号生成回路５０は、Ｎ進カウンタにより、カウント”Ｎ”となるタイミングで信号線Ｌ１に高レベルの電圧”Ｈ”を出力し、カウント”０”となるタイミングで信号線Ｌ２に高レベルの電圧”Ｈ”を出力する。そして、Ｄフリップフロップ５３は、クロック入力ＣＬＫに信号線Ｌ１が接続されており、カウント”Ｎ”となるタイミングにおけるデータ入力Ｄの値、すなわち、ＯＲゲート５２の出力を保持して非反転出力Ｑより受信放送表示部１７に出力する。また、ＯＲゲート５２は、クロック出力制御回路２１，２３，２５からクロック信号を受けると、クロック信号を検出したことを示す高レベルの電圧”Ｈ”を出力してこれを保持し、タイミング信号生成回路５０においてカウント”０”となるタイミングで、リセットされる。
【００５５】
このようにして、各クロック検波回路１６は、放送方式ごとにＭＰＥＧ２−ＴＳのディジタル信号中のクロック信号を検出し、検出結果を受信放送表示部１７に通知することができる。
【００５６】
受信放送表示部１７は、複数のクロック検波回路１６から受けたクロック信号の検出結果に応じて、各放送方式が受信可能であるか否かを表示して、ユーザに通知する（ステップＳ１２）。
この後、処理はステップＳ１１にリターンして、複数のクロック検波回路１６は、クロック信号を検出するための動作を継続する。
【００５７】
以上のようにして、このディジタル放送受信装置１は、ディジタル放送を受信する際、複数のクロック検波回路１６により各放送方式毎にＭＰＥＧ２−ＴＳのディジタル信号中のクロック信号を検出する。そして、受信放送表示部１７は、複数のクロック検波回路１６の検出結果に応じて、各放送方式が受信可能であるかを表示して、ユーザに通知することができる。
これにより、ディジタル放送受信装置１は、ＭＰＥＧ２−ＴＳのディジタル信号から映像・音響信号を再生する前に、受信可能なディジタル放送の判別を自動的に行ってユーザに通知することができる。
【００５８】
この後、ディジタル放送受信装置１は、ユーザが指示入力部１３により選択を指示した放送方式に応じた映像・音響信号を出力するため、図６のフローチャートに示すディジタル放送方式選択処理を実行する。
【００５９】
ディジタル放送方式選択処理を開始すると、セレクタ制御部１４は、指示入力部１３から放送方式を選択するための選択信号を受けたか否かを判別する（ステップＳ２０）。
【００６０】
この際、セレクタ制御部１４において、ＯＲゲート４０は、指示入力部１３からパルス状のＢＳ選択信号を受けると、高レベルの電圧”Ｈ”を出力し、ＣＳ選択信号又は地上波選択信号が入力されるまでこれを保持する。また、ＯＲゲート４１は、指示入力部１３からパルス状のＣＳ選択信号を受けると、高レベルの電圧”Ｈ”を出力し、ＢＳ選択信号又は地上波選択信号が入力されるまでこれを保持する。また、ＯＲゲート４２は、指示入力部１３からパルス状の地上波選択信号を受けると、高レベルの電圧”Ｈ”を出力し、ＢＳ選択信号又はＣＳ選択信号が入力されるまでこれを保持する。
【００６１】
このようにして、セレクタ制御部１４は、指示入力部１３から放送方式を選択するための選択信号を受けたか否かを判別し、受けていないと判別すると（ステップＳ２０にてＮＯ）、現在の出力状態を保持して、選択信号を受けるのを待ち、ステップＳ２０の判別処理を継続する。
【００６２】
一方、セレクタ制御部１４は、指示入力部１３から放送方式を選択するための選択信号を受けたと判別すると（ステップＳ２０にてＹＥＳ）、指示入力部１３から受けた選択信号に応じた制御信号をセレクタ１５に送り、指示入力部１３から選択を指示された放送方式を選択させる。セレクタ１５は、セレクタ制御部１４から受けた制御信号に応じて、指示入力部１３により選択を指示された放送方式に該当するＭＰＥＧ２−ＴＳのディジタル信号を選択してトランスポートストリーム処理部１８に入力する（ステップＳ２１）。
この後、処理はステップＳ２０にリターンして、指示入力部１３により放送方式が選択されるのを待つ。
【００６３】
以上のようにして、ディジタル放送受信装置１は、指示入力部１３により選択された放送方式に該当するＭＰＥＧ２−ＴＳのディジタル信号をセレクタ１５により選択して、トランスポートストリーム処理部１８に入力する。
トランスポートストリーム処理部１８は、セレクタ１５から受けたＭＰＥＧ２−ＴＳのディジタル信号にデコード等の処理を施し、映像・音響信号を再生して出力する。
【００６４】
以上の説明のように、このディジタル放送受信装置１によれば、ＣＳディジタル放送、ＢＳディジタル放送、地上波ディジタル放送といった方式の異なるディジタル放送を受信して、ＭＰＥＧ２−ＴＳといった所定の符号化方式で符号化されたディジタル信号を再生し、トランスポートストリーム処理部１８により映像・音響信号を再生することができる。
これにより、簡単な構成で方式の異なるディジタル放送を受信することができる。
【００６５】
また、このディジタル放送受信装置１によれば、ＣＳディジタル放送用モジュール１０、ＢＳディジタル放送用モジュール１１及び地上波ディジタル放送用モジュール１２がそれぞれ同期検出回路２０，２２，２４とクロック出力制御回路２１，２３，２５を備えている。そして、同期検出回路２０，２２，２４は、それぞれが受信同期が確立しているか否かに応じて、クロック出力制御回路２１，２３，２５からのクロック信号の出力を切り換える。このようにして、クロック出力制御回路２１，２３，２５から出力されたクロック信号は、複数のクロック検波回路１６により各放送方式毎に検出されて、受信放送表示部１７に受信可能な放送方式を表示することができる。
これにより、受信同期が確立しているか否かをトランスポートストリーム処理部１８等に通知するための信号線が不要となって、簡単な構成とすることができると共に、トランスポートストリーム処理部１８が映像・音響信号を再生する前に、受信可能な放送方式を容易に確認することができる。
【００６６】
この発明は、上記実施の形態に限定されず、様々な変形及び応用が可能である。例えば、上記実施の形態では、ディジタル放送受信装置１は、ＣＳディジタル放送と、ＢＳディジタル放送と、地上波ディジタル放送とを受信可能であるとして説明したが、これに限定されない。
例えば、２１ＧＨｚ帯の衛星放送である統合ディジタル放送（ＩＳＤＢ：Ｉｎｔｅｇｒａｔｅｄ  Ｓｅｒｖｉｃｅｓ  Ｄｉｇｉｔａｌ  Ｂｒｏａｄｃａｓｔｉｎｇ）やＣＡＴＶ（Ｃａｂｌｅ  Ｔｅｌｅｖｉｓｉｏｎ）を受信する場合にも同様に適用可能である。
【００６７】
また、トランスポートストリーム処理部１８が映像・音響信号を再生するディジタル信号の符号化方式もＭＰＥＧ２−ＴＳに限定されるものではなく、所定の符号化方式であれば何でもよい。
【００６８】
【発明の効果】
以上の説明のように、この発明は、簡単な構成により方式の異なるディジタル放送を受信することができる。
また、この発明は、映像・音響信号を再生する前に、受信可能な放送方式を自動的に検出して容易に確認することができる。
【図面の簡単な説明】
【図１】この発明の実施の形態に係るディジタル放送受信装置の構成を示す図である。
【図２】セレクタ制御部の構成を示す図である。
【図３】クロック検波回路の構成の一例を示す図である。
【図４】同期検出処理を説明するためのフローチャートである。
【図５】受信ディジタル放送方式表示処理を説明するためのフローチャートである。
【図６】ディジタル放送方式選択処理を説明するためのフローチャートである。
【図７】従来のディジタル放送受信装置の構成を示す図である。
【符号の説明】
１，１００，１０１，１０２    ディジタル放送受信装置
１０，１１０    ＣＳディジタル放送用モジュール
１１，１１１    ＢＳディジタル放送用モジュール
１２，１１２    地上波ディジタル放送用モジュール
１３    指示入力部
１４    セレクタ制御部
１５    セレクタ
１６    クロック検波回路
１７    受信放送表示部
１８    トランスポートストリーム処理部
２０，２２，２４    同期検出回路
２１，２３，２５    クロック出力制御回路
３０，３１，３２，５１    ＡＮＤゲート
４０，４１，４２，５２    ＯＲゲート
５０    タイミング信号生成回路
５３    Ｄフリップフロップ
Ｌ１，Ｌ２    信号線
１２０，１２１，１２２  バックエンド
【図１】
0003576877.tif 000002
【図２】
0003576877.tif 000003
【図３】
0003576877.tif 000004
【図４】
0003576877.tif 000005
【図５】
0003576877.tif 000006
【図６】
0003576877.tif 000007
【図７】
0003576877.tif 000008